(57)【要約】【課題】密封性が要求される絞り成型複合密封容器において容器の胴部上端部の開口部に形成されるフランジ部と施蓋用シート状蓋材との施蓋時の密着性を向上させるとともに成型複合密封容器の密封性を向上させることにある。【解決手段】筒状胴部１と底部２と胴部１の上端開口部全周に張り出したフランジ部７とからなる絞り成型紙容器Ａと、該成型紙容器Ａに対して相似形状であって該成型紙容器Ａの外面を覆う筒状胴部１１と底部１２と胴部１１の上端開口部全周のフランジ部１７からなる成型プラスチック容器Ｂとからなる絞り成型密封容器において、前記絞り成型紙容器Ａのフランジ部７の表裏面が、成型プラスチック容器Ｂのフランジ部１７と、該フランジ部１７に延設され折り返されて加熱加圧にて平坦な蓋材密着面を有する折り返し部１８とにより挟持されている。【選択図】図１
2004059081.tif 000002
【特許請求の範囲】
【請求項１】
筒状胴部１と底部２と胴部１の上端開口部全周に張り出したフランジ部７とからなる絞り成型紙容器Ａと、該成型紙容器Ａに対して相似形状であって該成型紙容器Ａの外面を覆う筒状胴部１１と底部１２と胴部１１の上端開口部全周のフランジ部１７からなる成型プラスチック容器Ｂとからなる絞り成型密封容器において、前記絞り成型紙容器Ａのフランジ部７の表裏面が、成型プラスチック容器Ｂのフランジ部１７と、該フランジ部１７に延設され折り返されて加熱加圧にて平坦な蓋材密着面を有する折り返し部１８とにより挟持されていることを特徴とする絞り成型複合密封容器。
【請求項２】
請求項１記載の絞り成型複合密封容器において、前記フランジ部７の表面に折り返されてヒートシールされた前記折り返し部１８面上に施蓋用のシート状蓋材が重ね合わせられて密着シールされていることを特徴とする絞り成型複合密封容器。
【請求項３】
請求項１又は請求項２記載の絞り成型複合密封容器において、前記成型プラスチック容器Ｂが、絞り成型プラスチック容器であることを特徴とする絞り成型複合密封容器。
【請求項４】
請求項１又は請求項２記載の絞り成型複合密封容器において、前記成型プラスチック容器Ｂが、射出成型プラスチック容器であることを特徴とする絞り成型複合密封容器。
【請求項５】
請求項１乃至請求項４のいずれか１項記載の絞り成型複合密封容器において、前記絞り成型紙容器Ａの外面と成型プラスチック容器Ｂの内面とが、互いに分離可能に非接着状態で密着していることを特徴とする絞り成型複合密封容器。
【請求項６】
請求項１乃至請求項４のいずれか１項記載の絞り成型複合密封容器において、前記絞り成型紙容器Ａの外面と成型プラスチック容器Ｂの内面とが、互いに分離可能に隙間を有して離間していることを特徴とする絞り成型複合密封容器。
【発明の詳細な説明】
【０００１】
【発明の属する技術分野】
本発明は、容器成型用紙を用いてプレス成型した絞り成型紙容器の外面に、成型プラスチック容器を被覆した絞り成型複合密封容器に関する。
【０００２】
【従来の技術】
従来のカップ状等の絞り成型紙容器や絞り成型複合容器など絞り成型容器は、平坦な１枚のカップ原紙など容器成型用紙や紙とプラスチックフィルム等を積層した複合成型用紙等を、雌型と雄型を用いてプレス成型して得られるものであるが、筒状胴部と底部とからなる成型容器の胴部には、特に深絞り方式による場合には、成型時の絞り成型皺が多数発生した状態になっており、また、皺が多数発生した状態の胴部上端の開口部外周に、シート状の蓋材を貼着して施蓋するための平坦なフランジ部を張り出して成型加工した場合に、そのフランジ部にも皺が多数発生した状態で成型される。
【０００３】
また、上記皺が多数発生した状態の成型容器の胴部上端の開口部の全周に沿って、カップ状容器としては一般的なトップカール部を形成することは、胴部に発生した絞り成型皺のためにカール成型加工が困難であり、たとえカール成型加工ができたとしても、トップカール部は皺が多数発生した状態で成型される。
【０００４】
【発明が解決しようとする課題】
このように、従来のカップ状絞り成型容器などの絞り成型容器は、胴部に発生した皺がフランジ部やトップカール部にも発生して、シート状蓋材をフランジ部やトップカール部に重ね合わせて接着剤層を介してヒートシールして貼着し施蓋した場合に、そのフランジ部やトップカール部に発生した皺による非平坦性によって、シート状蓋材とフランジ部やトップカール部との密着性や、また特に密封性が要求される絞り成型複合容器の施蓋による密封性が十分に得られないという問題がある。
【０００５】
本発明は、密封性が要求される絞り成型複合密封容器において、容器の胴部上端部の開口部に形成されるフランジ部やトップカール部と、施蓋用シート状蓋材との施蓋時の密着性を向上させるとともに、成型複合密封容器の密封性を向上させることにある。
【０００６】
【課題を解決するための手段】
本発明の請求項１に係る発明は、筒状胴部１と底部２と胴部１の上端開口部全周に張り出したフランジ部７とからなる絞り成型紙容器Ａと、該成型紙容器Ａに対して相似形状であって該成型紙容器Ａの外面を覆う筒状胴部１１と底部１２と胴部１１の上端開口部全周のフランジ部１７からなる成型プラスチック容器Ｂとからなる絞り成型密封容器において、前記絞り成型紙容器Ａのフランジ部７の表裏面が、成型プラスチック容器Ｂのフランジ部１７と、該フランジ部１７に延設され折り返されて加熱加圧にて平坦な蓋材密着面を有する折り返し部１８とにより挟持されていることを特徴とする絞り成型複合密封容器である。
【０００７】
本発明の請求項２に係る発明は、上記請求項１に係る絞り成型複合密封容器において、前記フランジ部７の表面に折り返されてヒートシールされた前記折り返し部１８面上に施蓋用のシート状蓋材が重ね合わせられて密着シールされていることを特徴とする絞り成型複合密封容器である。
【０００８】
本発明の請求項３に係る発明は、上記請求項１又は請求項２に係る絞り成型紙容器において、前記成型プラスチック容器Ｂが、絞り成型プラスチック容器であることを特徴とする絞り成型複合密封容器である。
【０００９】
本発明の請求項４に係る発明は、上記請求項１又は請求項２に係る絞り成型紙容器において、前記成型プラスチック容器Ｂが、射出成型プラスチック容器であることを特徴とする絞り成型複合密封容器である。
【００１０】
本発明の請求項５に係る発明は、上記請求項１乃至請求項４のいずれか１項に係る絞り成型紙容器において、前記絞り成型紙容器Ａの外面と成型プラスチック容器Ｂの内面とが、互いに分離可能に非接着状態で密着していることを特徴とする絞り成型複合密封容器である。
【００１１】
本発明の請求項６に係る発明は、上記請求項１乃至請求項４のいずれか１項に係る絞り成型紙容器において、前記絞り成型紙容器Ａの外面と成型プラスチック容器Ｂの内面とが、互いに分離可能に隙間を有して離間していることを特徴とする絞り成型複合密封容器である。
【００１２】
【発明の実施の形態】
本発明のカップ状絞り成型複合密封容器の実施の形態を、図１、図２に示す容器の側断面図に基づいて以下に詳細に説明する。
【００１３】
本発明のカップ状絞り成型紙容器は、図１に示すように、容器内側の絞り成型紙容器Ａと、該絞り成型紙容器Ａに対して相似形状であって、該容器Ａの外面を覆う容器外側の成型プラスチック容器Ｂとから構成されている。
【００１４】
容器内側の絞り成型紙容器Ａは、筒状胴部１と底部２と胴部１の上端開口部３全周に張り出したフランジ部７とからなり、絞り成型紙容器Ａに対して相似形状の容器外側の成型プラスチック容器Ｂは、筒状胴部１１と底部１２と胴部１１の上端開口部３全周に張り出したフランジ部１７と該フランジ部１７に折目１７ａを介して延設した折り返し部１８とからなる。
【００１５】
前記絞り成型紙容器Ａのフランジ部７は、成型プラスチック容器Ｂのフランジ部１７に重ね合わせられ、該フランジ部１７の外端部には折目１７ａを介して折り返し部１８が延設されていて、該折り返し部１８は折目１７ａから前記容器Ａのフランジ部７面上に折り返されて重ね合わせられ、その折り返し部１８の重ね合わせ上面は加熱加圧にて平坦に形成され、容器Ａのフランジ部７はフランジ部１７と折り返し部１８とにより挟持されている。
【００１６】
上記絞り成型紙容器Ａの絞り成型加工に使用する成型用紙としては、コートボール、カップ原紙、ノーコートアイボリー等の容器成形用原紙が使用でき、また必要に応じて、これら成形用原紙の容器内面側となる面には適宜にヒートシール用のシーラント層や耐水性層や撥水性層として、ポリエチレン、ポリプロピレン等のオレフィン系合成樹脂や、ポリエチレンテレフタレート系合成樹脂をラミネート又はコーティングすることができる。また、これら成形用原紙に金属蒸着フィルムや無機酸化物蒸着フィルム等のガスバリアフィルム又はアルミ箔などをラミネートした複合用紙でもよい。
【００１７】
上記成型プラスチック容器Ｂの成型に使用するプラスチック材料としては、ポリエチレン、ポリプロピレン等のオレフィン系や、ポリエチレンテレフタレート系のプラスチック材料が使用でき、該容器Ｂの成型加工は、プラスチック成型金型とスクリュー押出、射出成型機を用いて射出成型方式により、又はプラスチックフィルムやシートを真空成型型やプレス型を用いて真空成型又は絞り成型機方式にて成型することができる。
【００１８】
上記絞り成型紙容器Ａの筒状胴部１の外周面には、後述するように縦方向に絞り成型による複数の成型皺が発生あり、該胴部１の成型皺のある上端縁をフランジ成型加工により外周方向に拡張して成型されるフランジ部７にも同様に絞り成型皺が残存している。
【００１９】
上記絞り成型紙容器Ａや成型プラスチック容器Ｂの底部２、１２は、図示するように底上げされていない平坦底面を備えていてもよいし、僅かに底上げ状の底面（図示せず）を備えていてもよい。
【００２０】
本発明の絞り成型複合容器を絞り成型工程に基づいて以下に説明すれば、図３に示すように、まず、絞り成型用紙として円形状の成型用紙１１を準備する。
【００２１】
円形状の成型用紙１１には、その内側に同心円状に、容器の胴部１となる部分と底部２となる部分との境界となる円形折目１１ａが形成され、その胴部１となる部分には、用紙１１外周から内方の円形折目線１１ａまで円の中心に向かう直線折目１１ｂが放射状に形成され、円形折目線１１ａと直線折目１１ｂとの交点から直線折目１１ｂに対して所定角度となるように片側に偏位して傾斜する斜め直線折目１１ｃが形成されている。
【００２２】
なお成型する容器が上方に徐々に拡がるカップ（テーパー）形状の場合は、円形折目線１１ａと直線折目１１ｂとの交点間の円弧長に対して、成型用紙１１外周と直線折目１１ｂとの交点間の円弧長を僅かに長めに設定し、円柱形状の場合は、両者の円弧長を同一に設定する。
【００２３】
次に、図４に示すように、プレス成型方式の絞り成型手段１２を用いて、そのプレス雌型部１３と該プレス雌型部１３真上に対峙するプレス雄型部１４との空間部に、前記円形状成型用紙１１を水平に載置する。なお、予め前記円形状成型用紙１１には、なるべく規則的に折目に沿って折られて絞り成型されるように、各折目１１ａ、１１ｂ、１１ｃに沿って折り癖を付与しておくことが望ましい。
【００２４】
プレス雌型部１３は、上部開口部１３ａと逆円錐台筒形状の内壁面１３ｂと底上げ用の凸部（又は底上げ用の凸部の無い平坦面）を設けた内底面１３ｃとにより構成され、プレス雄型部１４は前記プレス雌型部１３内に嵌入可能な逆円錐台形状となっていて、空圧又は油圧シリンダー等による適宜なアクチュエータにて昇降動作でき、プレス雌型部１３内に嵌入・離脱可能になっている。
【００２５】
続いて、絞り成型手段１２のプレス雄型部１４がアクチュエータの駆動により下降動作して、該プレス雌型部１３とプレス雄型部１４との空間部に載置された成型用紙１１を上面よりプレスしながら、プレス雌型部１３内に嵌入させて、図４及び図５の部分斜視図に示すように成型用紙１１を円形折目１１ａと放射状の直線折目１１ｂ、傾め直線折目１１ｃに沿って折り曲げながら絞り成型し、縦方向に複数本の絞り成型皺４ａの発生した逆円錐台筒形状の胴部１と、底部２と、胴部１の上部開口部３とを備えたカップ状の絞り成型紙容器Ａに成型する。
【００２６】
成型後は、絞り成型手段１２のプレス雄型部１４は、アクチュエータの上昇駆動により、プレス雌型部１３内から離脱させる。
【００２７】
図４に示すカップ状の絞り成型紙容器Ａの開口部３となる成型皺４ａの発生した胴部１の上端部の全周には、図１に示すように、施蓋用のシート状蓋材Ｃを重ね合わせて密着シールするための蓋材密着面として、通常の一般的な紙カップのフランジ成型加工に用いられているものと同様のプレス成型加工手段にて平坦に張り出したフランジ部７を設ける。
【００２８】
そして、図１に示すように、プラスチック射出成型方式（真空加熱成型方式）又はプラスチックシート成型方式（熱プレス成型方式）にて成型した筒状胴部１１と底部１２と胴部１１の上端開口部全周のフランジ部１７と該フランジ部１７に折目１７ａ（薄肉折目）を介して延設した未折り返し状態（図１に示すように垂直に起立状態又は外側水平方向に張り出した状態）の折り返し部１８（点線部分）とからなる成型プラスチック容器Ｂ内に、フランジ部７を設けた絞り成型紙容器Ａを装着して、装着組み合わせ容器ＡＢを作成する。
【００２９】
その後、図１に示すように、折り返し部１８（点線部分）を折目１７ａを介してフランジ部７の上面に折り返して重ね合わせ、その重ね合わせた個所（装着容器Ａ、Ｂのフランジ部７、１７、折り返し部１８）の全周を加圧手段にて上下から挟み込み加圧（又は加熱加圧）して、絞り成型紙容器Ａのフランジ部７が成型プラスチック容器Ｂのフランジ部１７と折り返し部１８とにより挟持されるように成型固定するとともに、プラスチック製の折り返し部１８上面を平坦な蓋材密着面として、本発明の絞り成型複合密封容器が得られる。
【００３０】
そして、図２に示すように、上記本発明の絞り成型複合密封容器に所定の内容物を充填した後、密封容器の開口部３上よりフランジ部７、１７にあるプラスチック製折り返し部１８上面の蓋材密着面にシート状蓋材Ｃを重ね合わせ、その重ね合わせ面をヒートシールし貼着（密着シール）して密封する。
【００３１】
前記シート状蓋材Ｃとしては、プラスチックフィルムにアルミニウム等の金属や酸化珪素等の無機酸化物を薄膜蒸着したガスバリア性フィルム、又はアルミニウム箔、あるいは薄葉紙等の薄紙にガスバリア性フィルムやアルミニウム箔をラミネートしたラミネートフィルムが使用され、該シート状蓋材Ｃの裏面には、必要に応じて熱接着性層（シーラント層）が設けられている。
【００３２】
【発明の効果】
本発明の絞り成型複合密封容器は、絞り成型紙容器の外面を成型プラスチック容器により覆うようにした複合容器であり、絞り成型された内側の絞り成型紙容器の胴部に発生した絞り成型皺が、シート状蓋材を密着させるために蓋材密着面として設けるフランジ部にも発生しているものの、外側の成型プラスチック容器のフランジ部にはプラスチック製の折り返し部が延設されていて、その折り返し部が、内側の絞り成型紙容器の絞り成型皺のあるフランジ部上面を覆うため、シート状蓋材はフランジ折り返し部の平坦な蓋材密着面と重ね合わせられて良好に密着シールされ、確実な密封包装が可能になり、絞り成型複合密封容器の施蓋時におけるシート状蓋材の密着性や容器密封性を向上させる効果がある。
【図面の簡単な説明】
【図１】本発明の絞り成型複合密封容器の概要側断面図。
【図２】本発明の絞り成型複合密封容器を施蓋した状態を説明する側断面図。
【図３】本発明における絞り成型紙容器の成型用紙の平面図。
【図４】本発明における絞り成型紙容器の絞り成型工程を説明する斜視図。
【図５】本発明における絞り成型紙容器の胴部に発生する絞り成型皺の状態を説明する部分斜視図。
【符号の説明】
Ａ…絞り成型紙容器　Ｂ…成型プラスチック容器　Ｃ…シート状蓋材
１、１１…胴部　２、１２…底部　３…開口部　４ａ…成型皺
７、１７…フランジ部　１８…折り返し部
１１…成型用紙　１２…絞り成型手段　１３…プレス雌型部
１４…プレス雄型部
【図１】
2004059081.tif 000003
【図２】
2004059081.tif 000004
【図３】
2004059081.tif 000005
【図４】
2004059081.tif 000006
【図５】
2004059081.tif 000007